(57)【要約】【課題】  始動口と大入賞口とを繋ぐ配線を接続したままの状態で遊技盤を取り付けることが出来ると共に、始動口と大入賞口の間の遊技領域に遊技釘をレイアウトし易くできるパチンコ機の遊技盤を提供する。【解決手段】  パチンコ機１は、遊技板１２に設けられ、始動口取付貫通孔４１と大入賞口取付貫通孔４２の左右方向の貫通孔幅よりも左右方向の幅が狭く設定されている配線引渡し貫通孔４３であって、始動口取付貫通孔４１と前記大入賞口貫通孔４２と共に１つの大きな貫通孔を形成する配線引渡し貫通孔４３と、配線引渡し貫通孔４３の左右側であって始動口２１と大入賞口３１の間に位置する遊技領域に配置された遊技釘１８と、を有し、始動口台板２２及び／又は大入賞口台板３２は、始動口２１と大入賞口３１を遊技盤１０に取り付けたときに配線引渡し貫通孔４３を覆う形状に形成されている。【選択図】  図２
2011135920.tif 000002
【特許請求の範囲】
【請求項１】
遊技球が転動することが可能な遊技板と、
前記遊技板に設けられる始動口取付貫通孔と、
始動口と前記遊技板に取り付けることにより前記始動口取付貫通孔を覆う始動口台板とを有する始動入賞装置と、
前記遊技板に設けられる大入賞口取付貫通孔と、
大入賞口と前記遊技板に取り付けることにより前記大入賞口取付貫通孔を覆う大入賞口台板とを有する大入賞装置と、
前記始動入賞装置と前記大入賞装置とを繋ぐ電気配線と、
前記遊技板に設けられ、前記始動口取付貫通孔と前記大入賞口取付貫通孔の左右方向の貫通孔幅よりも左右方向の幅が狭く設定されている配線引渡し貫通孔であって、前記始動口取付貫通孔と前記大入賞口貫通孔と共に１つの大きな貫通孔を形成する配線引渡し貫通孔と、
前記配線引渡し貫通孔の左右側であって前記始動口と前記大入賞口の間に位置する遊技板に配置された遊技釘と、を有し、
前記始動口台板及び／又は前記大入賞口台板は、前記始動口と前記大入賞口を前記遊技板に取り付けたときに前記配線引渡し貫通孔を覆う形状に形成されていることを特徴とするパチンコ機の遊技盤。
【請求項２】
発射した遊技球を前記遊技板の裏面側で回収する裏樋と、
前記始動口に入賞した遊技球を排出する排出口と、
前記排出口から排出される遊技球を前記裏樋へ誘導するためのものであって、前記大入賞口の後側に設けられた上下方向に貫通する穴部と、
前記排出口と前記穴部とを繋ぐ誘導樋と、をさらに有し、
前記誘導樋を、前記始動口台板及び／又は前記大入賞口台板の裏面であって、前記始動口及び／又は前記大入賞口を前記遊技板に取り付けた時に前記配線引渡し貫通孔内を通過する位置に配置したことを特徴とする請求項１に記載のパチンコ機の遊技盤。
【発明の詳細な説明】
【技術分野】
【０００１】
本発明は、パチンコ機の遊技盤に関する。
【背景技術】
【０００２】
従来より、始動口と大入賞口が遊技盤に設けられたパチンコ機が提案されている。このようなパチンコ機では、遊技球が始動口を通過し、遊技者に有利な大当たり遊技状態が発生した場合には、大入賞口の入口を開放するように制御される。
【０００３】
上記のようなパチンコ機において、始動口と大入賞口がそれぞれ別体の入賞装置で構成されたものが提案されている（例えば特許文献１参照）。
【先行技術文献】
【特許文献】
【０００４】
【特許文献１】特開２００９−  ９０１５４号公報
【発明の概要】
【発明が解決しようとする課題】
【０００５】
しかしながら、特許文献１のパチンコ機では、始動口と大入賞口とを遊技板に取り付ける際、例えば始動口と大入賞口とを接続する電気配線がある場合、始動口と大入賞口とを遊技板に取り付けた後にしか電気的配線を接続する事ができないという問題があった。
【０００６】
そこで、本発明は上記の問題を鑑みてなされたものであり、始動口と大入賞口とを繋ぐ電気配線を接続したままの状態で遊技板に取り付けることが出来るパチンコ機の遊技盤を提供することを目的とする。
【課題を解決するための手段】
【０００７】
上記課題を解決するために、本発明のパチンコ機の遊技盤は、遊技球が転動することが可能な遊技板と、前記遊技板に設けられる始動口取付貫通孔と、始動口と前記遊技板に取り付けることにより前記始動口取付貫通孔を覆う始動口台板とを有する始動入賞装置と、前記遊技板に設けられる大入賞口取付貫通孔と、大入賞口と前記遊技板に取り付けることにより前記大入賞口取付貫通孔を覆う大入賞口台板とを有する大入賞装置と、前記始動入賞装置と前記大入賞装置とを繋ぐ電気配線と、前記遊技板に設けられ、前記始動口取付貫通孔と前記大入賞口取付貫通孔の左右方向の貫通孔幅よりも左右方向の幅が狭く設定されている配線引渡し貫通孔であって、前記始動口取付貫通孔と前記大入賞口貫通孔と共に１つの大きな貫通孔を形成する配線引渡し貫通孔と、前記配線引渡し貫通孔の左右側であって前記始動口と前記大入賞口の間に位置する遊技板に配置された遊技釘と、を有し、前記始動口台板及び／又は前記大入賞口台板は、前記始動口と前記大入賞口を前記遊技板に取り付けたときに前記配線引渡し貫通孔を覆う形状に形成したことを特徴とする。
【０００８】
本発明によれば、始動口取付貫通孔と大入賞口取付貫通孔間に配線引渡し貫通孔を設けることにより、別体で構成された始動入賞装置と大入賞装置に電気配線を接続したままの状態で遊技板に取り付けることが出来る。また、配線引渡し貫通孔を始動口台板や大入賞口台板で覆うことで遊技領域に影響を与えることはない。また、配線引渡し貫通孔を始動口台板や大入賞口台板にて覆う部分には遊技釘を配置することは出来ないが、台板の周辺の遊技領域には遊技釘を配置することができる。このため、遊技釘を配置することができない面積を非常に小さな面積で済ませることができ、始動口と大入賞口の間の遊技領域に遊技釘をレイアウトし易くなる。また、始動口と大入賞口とを事前に電気的配線を接続した状態で遊技板に取り付けることが可能となり、配線接続作業が容易になる。さらに、始動入賞装置と大入賞装置を別体で構成することにより始動入賞装置と大入賞装置の位置決め精度が向上する。
【０００９】
上記発明において、本発明のパチンコ機の遊技盤は、発射した遊技球を前記遊技板の裏面側で回収する裏樋と、前記始動口に入賞した遊技球を排出する排出口と、前記排出口から排出される遊技球を前記裏樋へ誘導するためのものであって、前記大入賞口の後側に設けられた上下方向に貫通する穴部と、前記排出口と前記穴部とを繋ぐ誘導樋とをさらに有し、前記誘導樋を、前記始動口台板及び／又は前記大入賞口台板の裏面であって、前記始動口及び／又は前記大入賞口を前記遊技板に取り付けた時に前記配線引渡し貫通孔内を通過する位置に配置することを特徴とする。
【００１０】
本発明によれば、従来、始動口の排出口と大入賞口に設けられた穴部との隙間から遊技球がこぼれ落ちることがあったが、始動口の排出口から大入賞口の穴部との隙間に誘導樋が配置することにより、この隙間から遊技球がこぼれ落ちることを防ぐ事が出来る。
【発明の効果】
【００１１】
本発明によれば、始動口と大入賞口とを繋ぐ電気配線を接続したままの状態で遊技盤を取り付けることが出来るパチンコ機を提供することができる。
【図面の簡単な説明】
【００１２】
【図１】本発明の実施形態におけるパチンコ機の正面図である。
【図２】本発明の実施形態におけるパチンコ機の遊技盤の正面図である。
【図３】本発明の実施形態におけるパチンコ機の遊技盤の背面図である。
【図４】本発明の実施形態における遊技盤に設けられた貫通孔を説明するための図である。
【図５】本発明の実施形態に係る始動入賞装置を説明するための図、（ａ）は始動入賞装置の正面図、（ｂ）は始動入賞装置の側面図、（ｃ）は始動入賞装置の底面図である。
【図６】本発明の実施形態に係る大入賞装置を説明するための図、（ａ）は大入賞装置の平面図、（ｂ）は大入賞装置の正面図、（ｃ）は大入賞装置の底面図、（ｄ）は大入賞装置の背面図である。
【図７】図２のＡ−Ａ断面図であって、始動入賞装置と大入賞装置を遊技盤に取り付ける前の状態を示す図である。
【図８】図２のＡ−Ａ断面図であって、始動入賞装置と大入賞装置を遊技盤に取り付けた状態を示す図である。
【図９】本実施形態に係るパチンコ機の電気的な接続を示すブロック図である。
【発明を実施するための形態】
【００１３】
以下、本発明の一実施形態であるパチンコ機について、図面を参照しつつ詳細に説明する。
【００１４】
図１は本発明の実施形態におけるパチンコ機の正面図である。図１に示すように、パチンコ機１は、縦長な矩形状に枠組みされた外枠の一側部に上下で対向するヒンジ片２が固定され、そのヒンジ片２によりパチンコ機の主要構成部を支持する板状の中枠３の一側部が軸支されて開閉可能に支持されている。中枠３の表側には、上皿５を有する前面枠４が設けられている。
【００１５】
前面枠４は、その一側部が中枠３に軸支されて開閉自在とされ、閉鎖状態において中枠３の前面を覆うようになっている。その前面枠４の下側の中枠３に下皿７を有する皿板６が設けられている。皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に取付けられる遊技盤１０の遊技領域１１に発射され、発射された遊技球は遊技盤１０を転動する。
【００１６】
図２は、本発明の実施形態におけるパチンコ機の遊技盤の正面図である。図２に示すように、遊技盤１０は、遊技板１２を有し、その遊技板１２の前面に取付けられたガイドレール１３の内側が遊技領域１１とされている。
【００１７】
遊技領域１１には、遊技球の落下方向を分散、調整するための多数の釘１４や風車１５、液晶表示器１６等が設けられている。液晶表示器１６は、カラー液晶表示器からなるものであり、表示画面には、例えば「０」〜「９」までの数字図柄が横三列に表示されるようになっており、これらの数字図柄によって複数の特別図柄１６ａ〜１６ｃが構成されている。
【００１８】
遊技板１２の前面には、液晶表示器１６の下方に位置して、始動口２１が設けられており、始動口台板２２によって遊技板１２に取り付けられている。さらに遊技板１２の前面には、始動口２１の下方に位置して大入賞口３１が設けられており、大入賞口台板３２によって遊技板１２に取り付けられている。この始動口台板２２と大入賞口台板３２は、ＡＢＳ等の硬質の合成樹脂材で形成されている。大入賞口３１は、遊技球が入賞することが可能な開放状態および遊技球が入賞することが不能な閉鎖状態相互間で切換えられる。
【００１９】
後述する主制御基板７０（図９参照）は、始動口２１の開放制御時、図２の液晶表示器１６の左側にある通過ゲートである普図始動口１７に遊技球が入賞することに伴い、普図抽選を行い、抽選結果を遊技者に報知した後、当たりの場合に始動口２１を所定開放する。主制御基板７０は、大入賞口３１の開放制御時、始動口２１が開放している時に遊技球が入賞することに伴い、特図抽選を行い、抽選結果を液晶表示器１６にて特別図柄１６ａ〜１６ｃによって遊技者に報知した後、大当たりの場合に大入賞口３１を開放する。図２の遊技板１２では、始動口台板２２や大入賞口台板３２にて覆う部分には遊技釘を配置することは出来ないが、始動口台板２２と大入賞口台板３２の間の遊技領域には遊技釘１８を配置している。
【００２０】
図３は本発明の実施形態におけるパチンコ機の遊技盤の背面図である。図４は本発明の実施形態における遊技盤に設けられた貫通孔を説明するための図である。
【００２１】
図４に示すように、遊技板１２には、始動口２１を取り付けるための始動口取付貫通孔４１と、大入賞口３１を取り付けるための大入賞口取付貫通孔４２が形成されている。始動口取付貫通孔４１と大入賞口取付貫通孔４２は近接した位置に設けられている。さらに、遊技板１２の始動口取付貫通孔４１と大入賞口取付貫通孔４２間には、配線引渡し貫通孔４３が形成されており、始動口取付貫通孔４１と大入賞口貫通孔４２と配線引渡し貫通孔４３によって１つの大きな貫通孔を形成している。この配線引渡し貫通孔４３は、始動口取付貫通孔４１と大入賞口取付貫通孔４２の左右方向の貫通孔幅よりも左右方向の幅が狭く設定されている。この配線引渡し貫通孔５３は、始動入賞装置２０と大入賞装置３０に電気配線５０を繋いだままの状態（図３参照）で電気配線５０が通ることができる程度の大きさに形成されている。
【００２２】
始動口取付貫通孔４１と大入賞口取付貫通孔４２と配線引渡し貫通孔４３に対応する部分には遊技釘を配置することは出来ないが、配線引渡し貫通孔４３の左右側の始動口２１と大入賞口３１の間に位置する遊技領域には遊技釘１８が配置されている。
【００２３】
図３に示すように、始動入賞装置２０と大入賞装置３０は電気配線５０によってつながれている。始動入賞装置２０には、上述した始動口２１と始動口台板２２が設けられており、この始動口台板２２は、遊技板１２に取り付けることにより図４で示した始動口取付貫通孔４１を覆うように形成されている。また、大入賞装置３０には、上述した大入賞口３１と大入賞口台板３２が設けられており、大入賞口取付台板３２は、遊技板１２に取り付けることにより図４で示した大入賞口取付貫通孔４２を覆うように形成されている。また、始動口２１に入賞した球・大入賞口３１に入賞した球・アウト口１９に入った球をまとめて回収する裏樋６０が遊技板１２に取り付けられている。また、裏樋は遊技板１２の裏面には固定されておらず、中枠３に設けられる遊技球を回収する樋に直接誘導するようにしても良い。従って、裏樋は遊技板１２に固定される樋と、中枠３に設けられる樋の両方が含まれる。
【００２４】
次に、本実施形態における始動入賞装置について説明する。図５は本実施形態に係る始動入賞装置を説明するための図であり、同図（ａ）は始動入賞装置の正面図、（ｂ）は始動入賞装置の側面図、（ｃ）は始動入賞装置の底面図である。
【００２５】
図５に示すように、始動入賞装置２０は、始動口台板２２に対してカバー部材２４が取り付けられている。この構成によって、始動口台板２２が遊技板１２に取り付けられた際に、遊技板１２の遊技領域に設けられた始動口２１がポケット状の外観を呈するようになっている。
【００２６】
また、カバー部材２４が始動口台板２２に取り付けられることによって、入賞した遊技球を遊技板１２の裏側に排出する球経路が一つ形成されている。この球経路には、入賞した遊技球が球経路を通過したことを検出するために、貫通型近接スイッチで構成された始動口スイッチ２６が配設されている。そして、始動口２１に遊技球が入賞すると、始動口スイッチ２６が遊技球を検出して検出信号を出力するようになっている。
【００２７】
始動口台板２２は、始動口２１を遊技板１２に取り付けた際に図４で示した始動口取付貫通孔４１を覆うように形成されている共に、配線引渡し貫通孔４３の一部を覆うように遮蔽部２９が形成されている。始動入賞装置２０の下側には、始動口２１に入賞した遊技球を排出する始動口排出口２７が設けられている。
【００２８】
始動口２１の入口には、可動部材としての一対の羽根２８，２８が配設されている。始動口台板２２の裏側に配設されたソレノイド２５への通電が行われることにより不図示のクランクが不図示のバネの付勢力に抗して、ソレノイド２５側に引き付けられて一対の羽根２８，２８が開き、始動口２１の入口を拡大するようになっている。一方、ソレノイド２５への通電が停止されることによりクランクがバネの付勢力で本来の位置に戻り、一対の羽根２８，２８が閉じて始動口２１の入口が拡大されていない状態となる。
【００２９】
次に、本実施形態における大入賞装置について説明する。図６は本実施形態に係る大入賞装置を説明するための図であり、（ａ）は大入賞装置の平面図、（ｂ）は大入賞装置の正面図、（ｃ）は大入賞装置の底面図、（ｄ）は大入賞装置の背面図である。
【００３０】
図６に示すように、大入賞装置２０の前面には、開放扉３５が一軸回りに回動可能に装着されている。この開放扉３５は、大入賞口台板３２の裏側に固定された大入賞口ソレノイド３７のプランジャにクランク機構を介して連結されている。そして、開放扉３５は、大入賞口ソレノイド３７への断電時には、大入賞口３１の入口を閉塞するようになっている。一方、大入賞口ソレノイド３７への通電時には、大入賞口３１の入口を開放するようになっている。
【００３１】
大入賞装置３０は、大入賞口３１に入賞した遊技球を遊技板１２の裏側に排出するための球流路を通過する遊技球を検出するための大入賞口カウントスイッチ３６が配設されている。大入賞口カウントスイッチ３６は、貫通型近接スイッチによって構成されている。大入賞口３１に遊技球が入賞し、大入賞口カウントスイッチ３６が配設された球通路を遊技球が通過すると、大入賞口カウントスイッチ３６が検出信号を出力する。
【００３２】
大入賞口台板３２は、大入賞口３１を遊技板１２に取り付けた際に図４で示した大入賞口取付貫通孔４２を覆うように形成されていると共に、配線引渡し貫通孔４３の一部を覆うようにＶ字状の遮蔽部３９が形成されている。大入賞口台板３２の遮蔽部３９は始動口台板２２の遮蔽部２９と合わさるような形状を持つ。大入賞口３１の後側には、始動口排出口２７から排出される遊技球を裏樋６０へ誘導するための穴部３３が設けられており、この穴部３３は上下方向に貫通している。また、大入賞口３１に入賞した遊技球を排出する大入賞口排出口４０が設けられている。
【００３３】
始動入賞装置２０の始動口排出口２７と穴部３３の隙間の部分には、始動入賞装置２０側の始動口排出口２７と穴部３３とを繋ぐ誘導樋３４が設けられている。この誘導樋３４は、始動口台板２２の遮蔽部２９と大入賞口台板３２の遮蔽部３９の裏面であって、始動口２１と大入賞口３１を遊技盤１０に取り付けた時に図４で示した配線引渡し貫通孔４３内を通過する位置に配置されている。
【００３４】
始動入賞装置２０の始動口排出口２７から大入賞装置３０の穴部３３との隙間に誘導樋３４を配置することで、遊技球がこの隙間からこぼれ落ちることを防ぐことができる。また、大入賞口３１と誘導樋３４を同じ大入賞口台板３２によって遊技板１２に固定できるため、大入賞口３１と誘導樋３４の位置精度が向上する。
【００３５】
また大入賞装置３０の背面側には、中継基板３８が設けられており、この中継基板３８には複数のコネクタが設けられている。コネクタ３８ａはパチンコ機１全体を制御する後述の主制御基板７０に接続するためのコネクタであり、コネクタ３８ｂは始動入賞装置２０へ電気配線５０を接続するためのコネクタである。主制御基板７０は、中継基板３８を介して大入賞装置３０のソレノイド３７を制御等すると共に、中継基板３８に電気配線５０を介して接続された始動入賞装置２０のソレノイド２５等を制御する。
【００３６】
図７は、図２のＡ−Ａ断面図であって、始動入賞装置と大入賞装置を遊技盤に取り付ける前の状態を示す図である。
【００３７】
作業者は、まず、大入賞装置３０の中継基板３８のコネクタ３８ｂに電気配線５０の一端を差し込み、他端を始動入賞装置２０に差し込んでおく。始動入賞装置２０と大入賞装置３０を電気配線５０で繋いだ状態で、始動入賞装置２０を始動口取付貫通孔４１に装着していき、大入賞装置３０を大入賞口取付貫通孔４２に装着していく。始動入賞装置２０と大入賞装置３０に繋がれた電気配線５０は、始動口取付貫通孔４１と大入賞口取付貫通孔４２との間に形成された配線引き渡し貫通孔４３を通る。このように構成することで、始動入賞装置２０と大入賞装置３０を別体に構成した場合でも、電気配線５０を始動入賞装置２０と大入賞装置３０に接続したままの状態で遊技盤１０を取り付けることが出来る。
【００３８】
図８は、図２のＡ−Ａ断面図であって、始動入賞装置と大入賞装置を遊技盤に取り付けた状態を示す図である。
【００３９】
図８に示すように、始動入賞装置２０と大入賞装置３０が遊技板１２に装着されると始動口２１から裏樋６０へ繋がる経路が形成される。そして、始動口２１に遊技球が入賞すると、入賞した遊技球が始動口排出口２７から排出され、始動口排出口２７と穴部３３の間に設けられた大入賞装置３０の誘導樋３４を通って、遊技球は穴部３３に案内され、さらに、遊技球は穴部３３を通って裏樋６０へ案内される。このように、始動入賞装置２０の始動口排出口２７から大入賞装置３０の排出口３３との隙間に誘導樋３４を配置することで、始動入賞装置２０と大入賞装置３０の間に隙間の無い経路が形成されるため、遊技球が始動入賞装置２０と大入賞装置３０の隙間からこぼれ落ちることを防ぐことができ、始動口２１へ入賞した遊技球を確実に裏樋６０に案内することができる。
【００４０】
図９は、本実施形態に係るパチンコ機の電気的な接続を示すブロック図である。図９に示すように、パチンコ機１全体を制御する主制御基板７０は、液晶表示器１６に電気配線８３を介して接続されている。また主制御基板７０は大入賞装置３０に設けられた中継基板３８に電気配線８１を介して接続されている。大入賞装置３０の大入賞口ソレノイド３７は、主制御基板７０からの制御信号によって制御され、大入賞口カウントスイッチ３６による検知信号は電気配線８１を介して主制御基板に送られる。始動入賞装置２０の始動口ソレノイド２５は、上述した電気配線５０によって中継基板３８のコネクタ３８ｂに接続されている。主制御基板７０は、電気配線８１、中継基板３８および電気配線５０を介して始動口ソレノイド２５に制御信号を送り、始動口ソレノイド２５を制御する。
【００４１】
また、始動入賞装置２０の始動口スイッチ２６は、電気配線５０とは別の電気配線８２を介して主制御基板７０に接続されており、始動口スイッチ２６による検知信号は電気配線８２を介して主制御基板７０に送られる。ここでは、始動口スイッチ２６は中継基板３８を介さずに主制御基板７０に入力されるようになっている。始動口スイッチ２６は中継基板３８を介して主制御基板７０に入力する事も可能である。
【００４２】
本実施形態の構成によれば、配線引渡し貫通孔４３を始動口台板２２と大入賞口台板３２にて覆う部分は遊技釘を配置することは出来ないが、遊技釘を配置することができない面積を非常に小さな面積で済ませることができ、始動口２１と大入賞口３１の間の遊技領域に釘１８をレイアウトし易くなる。
【００４３】
以上、本発明の好ましい実施例について詳述したが、本発明に係るパチンコ機は上述した実施例に限定されるものではなく、特許請求の範囲に記載された本発明の要旨の範囲内において、種々の変形、変化が可能である。例えば、上記例では、配線引渡し貫通穴４３を始動口台板２２の遮蔽部２９と大入賞口台板３２の遮蔽部３９によって覆うことによって遮蔽するようにしたが、例えば配線引渡し貫通孔４３を始動口台板２２の遮蔽部２９だけによって覆うようにしてもよいし、大入賞口台板３２の遮蔽部３９だけによって覆うようにしてもよい。
【符号の説明】
【００４４】
１  パチンコ機
１０  遊技盤
１１  遊技領域
１６  液晶表示器
２０  始動入賞装置
２１  始動口
２２  始動口台板
３０  大入賞装置
３１  大入賞口
３２  大入賞口台板
４１  始動口取付貫通孔
４２  大入賞口取付貫通孔
４３  配線引渡し貫通孔
５０  電気配線
【図１】
2011135920.tif 000003
【図２】
2011135920.tif 000004
【図３】
2011135920.tif 000005
【図４】
2011135920.tif 000006
【図５】
2011135920.tif 000007
【図６】
2011135920.tif 000008
【図７】
2011135920.tif 000009
【図８】
2011135920.tif 000010
【図９】
2011135920.tif 000011